(57)【要約】【課題】構成が簡単安価で、遊技媒体の取り出しを容易に行うことができ、証紙類を配置する平面のスペースを容易に確保できる貯留皿を備えた遊技機を提供する。【解決手段】排出口（５９）から排出されたメダルを貯留する貯留皿としての下皿６０は、排出口（５９）に臨み、それよりも下方に配置された底板１２１と、底板１２１の左右両側部の左右の側壁部１２２、１２３と、排出口（５９）に対向して遊技機本体の前側の前壁部１２４と、を備え、前壁部１２４および左右の側壁部１２２、１２３により画成されかつ上方が開放されたメダルの貯留空間を形成する。底板１２１の内面は、底板中央の第１の点Ｐ１と、第１の点Ｐ１よりも左または右に位置する第２の点Ｐ２と、を含み、第１および第２の点Ｐ１、Ｐ２は排出口（５９）を備えた面５９ａ’からそれぞれ等距離にあり、かつ、第２の点Ｐ２の高さが、第１の点Ｐ１よりも高い構成とする。【選択図】図９
2018175164.tif 000002
【特許請求の範囲】
【請求項１】
遊技媒体の排出口を備えた面に臨み前記排出口よりも下方に配置された底板と、前記底板の左右両側部に配置された左右の側壁部と、前記排出口に対向して遊技機本体の前側に配置された前壁部と、を備え、前記前壁部および左右の側壁部により画成されかつ上方が開放された貯留空間を形成し、前記排出口から排出された遊技媒体を貯留する貯留皿を備えた遊技機において、
前記底板の内面は、前記底板中央の第１の点と、前記第１の点よりも左または右に位置する第２の点と、を含み、
前記第１の点および前記第２の点は前記排出口を備えた面からそれぞれ等距離にあり、
かつ、前記第２の点の高さが、前記第１の点よりも高いことを特徴とする遊技機。
【請求項２】
請求項１に記載の遊技機において、前記底板の内面は、前記底板中央で、かつ前記第１の点よりも前記排出口に近い位置にある第３の点を含み、
前記第３の点の高さが、前記第１の点よりも高いことを特徴とする遊技機。
【請求項３】
請求項１または２に記載の遊技機において、前記底板と前記前壁部が湾曲部を介して連続し、
前記湾曲部は、前記貯留皿の中央の部分よりも左右の部分の方が曲率半径が大きい曲面形状を有することを特徴とする遊技機。
【発明の詳細な説明】
【技術分野】
【０００１】
本発明は、排出口から排出された遊技媒体を貯留する貯留皿を備えた遊技機に関する。
【背景技術】
【０００２】
メダルのような遊技媒体を介して特定の遊技を行う遊技機としてスロットマシンのような遊技機が知られている。例えばスロットマシンでは、装置の前面下部に、遊技の結果、払い出されたメダルやあるいは上限を超えて投入されたメダルなどを排出する排出口が配置され、その前方に排出口から排出されたメダルを貯留するメダル貯留皿が配置される。このメダル貯留皿（以下、貯留皿という）は、その配置位置や形状などから、下皿ないしトレイなどと呼ばれる場合がある。
【０００３】
スロットマシンの貯留皿からメダルを取り出す操作は遊技者などが手操作によって行うため、従来よりメダル取り出し操作を容易にするための構造が種々提案されている。例えば、下記の特許文献１では、排出されるメダルを収容するメダル受皿は、メダルの収容空間が筐体の手前方向に拡大するような形状の突出部が設けられた開閉部を有するとともに、前記開閉部が筐体の手前方向に傾倒する方向へ回動可能に支持される（同公報図１（ａ）、（ｂ））。
【０００４】
また、スロットマシンなどの遊技機では、筐体の前面などの視認可能な部位に遊技機の認定や検査などに係る情報を印刷した証紙を貼付（ないし取付）することが求められる。この証紙の貼付（ないし取付）部は平面であるのが好ましいが、スロットマシンの場合、筐体の意匠上の都合もあってそのような貼付（ないし取付）のためスペースを確保することが難しい場合がある。例えば、下記の特許文献２では、上記の貯留皿に相当するトレイ本体の前面板に証紙の貼付（ないし取付）するためのスペースを配置する構成を開示している（同公報図１９）。
【先行技術文献】
【特許文献】
【０００５】
【特許文献１】特開２００８−２０６７７３号公報
【特許文献２】特開２０１４−１８４２２９号公報
【発明の概要】
【発明が解決しようとする課題】
【０００６】
スロットマシンのメダルの貯留皿は、排出されたメダルを取り零すことなく確実に貯留できるとともに、例えば遊技者が、容易な手操作によって貯留皿から取り出すことができることが求められる。このため、特許文献１では、メダル受皿を回動式とし、メダル受皿を回動させると、筐体の手前方向に向う形状の突出部が下方に変位して、この部分にメダルが集まるような構成が用いられている。しかしながら、このような構成では、メダル受皿のための回動機構を配置することによって構成が複雑になり、遊技機の製造コストが増大する可能性がある。
【０００７】
一方、以上では、証紙の貼付（ないし取付）のためスペースにつき述べたが、この証紙に類似した証紙類には機種識別のための銘板のような部材も含めて考えてもよい。そして、証紙類の貼付（ないし取付）のためスペースが限られたスロットマシンのような遊技機では、特許文献２のようにメダルの貯留皿の前面板を証紙類の配置スペースとして用いる構成は有用であると考えられる。しかしながら、スロットマシンでは、上記のメダル取り出し操作の容易性を考慮して貯留皿の底面から前面にかけての形状を曲面で構成するのが好ましい場合がある。そして、このような曲面構成の貯留皿では、例えば曲面の曲率半径などをメダル取り出し操作の容易性を優先させて決定すると、証紙類の貼付（ないし取付）のための平面のスペースを確保するのが困難になる可能性がある。
【０００８】
本発明の課題は、上記の問題点に鑑み、構成が簡単安価で、遊技媒体の取り出しを容易に行うことができ、証紙類を配置する平面のスペースを容易に確保できる貯留皿を備えた遊技機を提供することにある。
【課題を解決するための手段】
【０００９】
上記課題を解決するため、本発明においては、遊技媒体の排出口（５９）を備えた面（５９ａ）に臨み前記排出口（５９）よりも下方に配置された底板（１２１）と、前記底板（１２１）の左右両側部に配置された左右の側壁部（１２２、１２３）と、前記排出口（５９）に対向して遊技機本体の前側に配置された前壁部（１２４）と、を備え、前記前壁部（１２４）および左右の側壁部（１２２、１２３）により画成されかつ上方が開放された貯留空間を形成し、前記排出口（５９）から排出された遊技媒体を貯留する貯留皿（６０）を備えた遊技機（１）において、前記底板（１２１）の内面は、前記底板中央の第１の点（Ｐ１）と、前記第１の点（Ｐ１）よりも左または右に位置する第２の点（Ｐ２ないしＰ５）と、を含み、前記第１の点（Ｐ１）および前記第２の点（Ｐ２ないしＰ５）は前記排出口を備えた面（５９ａ）からそれぞれ等距離にあり、かつ、前記第２の点（Ｐ２ないしＰ５）の高さが、前記第１の点（Ｐ１）よりも高い構成を採用した。
【００１０】
あるいはさらに、前記底板（１２１）の内面は、前記底板中央で、かつ前記第１の点（Ｐ１）よりも前記排出口に近い位置にある第３の点（Ｐ３）を含み、前記第３の点（Ｐ３）の高さが、前記第１の点（Ｐ１）よりも高い構成を採用した。
【００１１】
あるいはさらに、前記底板（１２１）と前記前壁部（１２４）が湾曲部（１２５１〜１２５３）を介して連続し、前記湾曲部は、前記貯留皿の中央の部分（１２５１）よりも左右の部分（１２５２または１２５３）の方が曲率半径が大きい曲面形状を有する構成を採用した。
【００１２】
なお、以上の各構成要件に付した括弧書きの参照符号は、請求項と下記の実施形態の対応づけを容易にするためのものであって、本発明の構成要件を下記の実施形態の構成に限定することを意図したものではない（次欄においても同様）。
【発明の効果】
【００１３】
上記構成によれば、底板（１２１）の内面は、底板中央の第１の点（Ｐ１）と、第１の点（Ｐ１）よりも左または右に位置する第２の点（Ｐ２ないしＰ５）と、を含み、第１の点（Ｐ１）および第２の点（Ｐ２ないしＰ５）は前記排出口を備えた面（５９ａ）からそれぞれ等距離にあり、かつ、第２の点（Ｐ２ないしＰ５）の高さが、第１の点（Ｐ１）よりも高い構成、即ち、中央部よりも左右の側壁部（１２２、１２３）の側の方が高く形成された形状となっている。このため、貯留皿（６０）の底面を転動する遊技媒体に、貯留皿（６０）の左右両側から中央に向かって転動する習性が生じ、排出口（５９）から排出されるか、あるいは、他の容器から貯留皿（６０）に補給される遊技媒体を取り扱いの容易な貯留皿（６０）の中央部に集めて貯留することができる。
【００１４】
あるいはさらに、底板（１２１）の内面が、底板中央で、かつ第１の点（Ｐ１）よりも排出口に近い位置にある第３の点（Ｐ３）を含み、第３の点（Ｐ３）の高さが、第１の点（Ｐ１）よりも高い構成、即ち、貯留皿（６０）の内面を全体に手前下りの傾斜を有する斜面で構成することによって、取り扱いの容易な前壁部（１２４）側に排出口（５９）から排出されるか、あるいは、他の容器から貯留皿（６０）に補給される遊技媒体を集めることができる。
【００１５】
あるいはさらに、底板（１２１）と前壁部（１２４）が湾曲部（１２５１〜１２５３）を介して連続し、湾曲部は、貯留皿の中央の部分（１２５１）よりも左右の部分（１２５２または１２５３）の方が曲率半径が大きい曲面形状を有する構成とすることができる。その場合、遊技者は、曲率半径の大きい湾曲部（１２５２または１２５３）の部位を利用して容易にメダル掻き出し操作を行うことができるとともに、例えば前壁部（１２４）の中央部位などに、矩形でかつ面積が広く、平坦な例えば証紙類などを配置するためのスペースを容易に確保することができる。
【００１６】
以上のようにして、本発明によれば、構成が簡単安価で、遊技媒体の取り出しを容易に行うことができ、例えば証紙類を配置するための面積が大きく、例えば矩形などの好適な形状でかつ平面のスペースを容易に確保できる貯留皿（６０）を備えた遊技機を提供することができる、という優れた効果がある。
【図面の簡単な説明】
【００１７】
【図１】本発明を実施可能なスロットマシンの全体構成を示した斜視図である。
【図２】図１のスロットマシンの筐体内部の概略構成を示した正面図である。
【図３】図１のスロットマシンの貯留皿を含む前扉下部の構成を示した斜視図である。
【図４】図１のスロットマシンの貯留皿の各部の構成を示した斜視図である。
【図５】図１のスロットマシンの貯留皿の左半部の構成を示し、図８、図９のＡ−Ａ’線に沿った断面を一部破断で示した斜視図である。
【図６】図１のスロットマシンの貯留皿の左半部のさらに左方の構成を示し、図８、図９のＢ−Ｂ’線に沿った断面を一部破断で示した斜視図である。
【図７】図１のスロットマシンの貯留皿の左半部の構成を示すべく、図８、図９のＡ−Ａ’線に沿った断面を示した断面図である。
【図８】図７のＣ−Ｃ’線に沿った断面を示した断面図である。
【図９】図１のスロットマシンの貯留皿の上面図である。
【図１０】図１のスロットマシンの貯留皿の下面図である。
【発明を実施するための形態】
【００１８】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。
【００１９】
＜遊技機の全体構成＞
本発明の実施の形態に係る遊技機としてのスロットマシン１の全体構成について図１および図２に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は６面体構造のうち遊技者に対向する前面が開口した例えば木製の筐体１０を備えるとともに、この開口した筐体１０の前面を開閉可能な前扉５０により覆って構成されている。なお、以下の説明においては、前扉５０を開いた時に遊技者と対向する筐体１０の開口する面側を「前方」と記載し、この開口面と対向する面側を「後方」と記載する。
【００２０】
筐体１０の内部には、図２に示すように、複数のリールとしての第１リールＲ１〜第３リールＲ３を備えたリールユニット３０が収められている。このリールユニット３０の下部には、投入されたメダルの貯留部、ないしメダルの払出部としても機能するホッパーユニット２０が収められている。
【００２１】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００２２】
上記リールユニット３０の上方には、前扉５０の裏側に配設された副制御基板ユニット（不図示）、および遊技機の制御基板を構成する主制御基板ユニット４１が設けられている。主制御基板ユニット４１は、ＣＰＵ、ＲＯＭ（情報記憶媒体の一例）、ＲＡＭなどの制御部材を搭載し、遊技を実行するための各種の演算を行って上記リールユニット３０や、ホッパーユニット２０などの動作を制御する。さらに、筐体１０の高さ方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１は、リールユニット３０やホッパーユニット２０などの他ユニットと接続されている。
【００２３】
前扉５０の上部、中央上部、下部には、それぞれ、演出用の絵柄や配当表などを表示する上パネル５７、中央パネル５２、下パネル５５が配置されている。中央パネル５２には、第１リールＲ１〜第３リールＲ３の回転状態および停止状態を観察可能にする表示窓５１が設けられている。第１リールＲ１〜第３リールＲ３の停止状態では、第１リールＲ１〜第３リールＲ３のそれぞれの外周面に一定間隔で配列された複数種類の図柄のうち、外周面上に連続して配列されている３つの図柄（上段図柄、中段図柄、下段図柄）をスロットマシン１の正面から表示窓５１を介して観察できるようになっている。
【００２４】
また、本実施形態のスロットマシン１では、表示窓５１を通じて図柄を観察するための表示位置として、各リールについて上段、中段、下段が設けられており、各リールの表示位置の組合せ（本実施の形態では中段一列）によって有効ラインＬ１が設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬ１が有効化される。
【００２５】
さらに、中央パネル５２には、第１リールＲ１〜第３リールＲ３の停止順序（以下、打順ともいう）を報知する第１ナビランプＮＬ１〜第３ナビランプＮＬ３が表示窓５１の上方に設けられており、第１リールＲ１〜第３リールＲ３にそれぞれ対応する第１ナビランプＮＬ１〜第３ナビランプＮＬ３が点灯することによって、遊技者に打順を報知するようになっている。また、中央パネル５２の表示窓５１の下方には、ＬＥＤ、ランプ、７セグメント表示器等からなる遊技情報表示部ＤＳが設けられており、遊技情報表示部ＤＳにはメダルのクレジット数、１回の遊技におけるメダルの払出数あるいは獲得数、今回の遊技で当選した役の情報に係る報知表示、有利期間などの各種遊技情報が表示されるようなっている。
【００２６】
前扉５０の扉下部分５３は、例えば中央パネル５２のパネル面よりも前方（遊技者側）に突出する形状に構成されている。扉下部分５３の上部には、遊技者がメダルを投入するメダル投入口５６が配置されるとともに、扉下部分５３の前面には下記のような各種の操作手段が配置される。
【００２７】
この操作手段には、クレジット（貯留）されたメダルを投入する操作を行うための投入操作手段として、１枚のメダルを投入するシングルベットボタンＢＴ、および規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３、およびクレジットされたメダルを精算するための精算ボタンＢＳ、などの操作手段が含まれる。
【００２８】
また、扉下部分５３のメダル投入口５６より下方の前面には、下パネル５５が配置されている。下パネル５５の発光表示面は、図１のように、例えばその下部が上部よりも遊技機の前方に向かってせり出すようなチルト形状とすることができる。下パネル５５は、例えば遊技機のテーマや関連のキャラクタの画像を表示するためのもので、その表示画像は、下パネルの表示面の背面側に印刷したり、あるいはそのような表示画像が付与されたシートを表示面の背面側に配置することなどによって付与される。
【００２９】
本実施形態のスロットマシン１では、遊技者がメダルをメダル投入口５６に投入するか、メダルが規定投入数以上にクレジットされている場合に、シングルベットボタンＢＴを規定投入数と同じ回数押下する操作を行う、またはマックスベットボタンＭＢを押下する操作を行うことで、第１リールＲ１〜第３リールＲ３の回転制御を開始することが可能な準備状態にセットされる。そして、遊技者がスタートレバーＳＬを押下する開始操作を実行すると、主制御基板ユニット４１において乱数値を用いた内部抽選が行われた後に第１リールＲ１〜第３リールＲ３をステッピングモータの駆動により回転開始され、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００３０】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット４１へ出力するリール停止信号をオン状態からオフ状態に変化させる。
【００３１】
そして、主制御基板ユニット４１は、ストップボタンＢ１〜ストップボタンＢ３の押下タイミングおよび解放タイミングに応じて信号状態が変化するリール停止信号のオフ状態からオン状態への変化に基づいて、内部抽選の結果に応じた停止位置で第１リールＲ１〜第３リールＲ３を停止させる。
【００３２】
また、主制御基板ユニット４１は、第１リールＲ１〜第３リールＲ３を停止させた後に、有効ラインＬ１上に停止している図柄の組合せに応じて、各種処理を実行する。主制御基板ユニット４１が実行する各種処理としては、例えば、有効ラインＬ１上に停止している図柄の組合せが複数種類の役のうちメダルの払い出しを伴う役である小役の図柄組合せである場合、つまり小役が入賞した場合には、入賞した小役に設定されている配当に基づきホッパーユニット２０からメダルを払い出す払出処理や、有効ラインＬ１上に停止している図柄の組合せが複数種類の役のうち遊技者にメダルを消費させることなく１回遊技を実行可能にする役であるリプレイの図柄組合せである場合には、今回の遊技における規定投入数のメダルを投入状態に設定するリプレイ処理等がある。
【００３３】
また、扉下部分５３の下部には、排出口（メダル払出口）５９と、この排出口５９に面して配置された、排出されたメダルを貯留する貯留皿としての下皿６０とが設けられる。この下皿６０は、メダル受け皿、メダルトレイなどと呼ばれることがある。下皿６０には、例えば遊技の結果に応じた枚数のメダルが排出口５９から払い出される。また、例えば、遊技機内にクレジットされたメダルが記憶されている状態で、精算ボタンＢＳが押下された場合、精算ボタンＢＳの押下に伴ってホッパーユニット２０からクレジット数（クレジットされたメダルの枚数）に相当する枚数のメダルを払い出す精算処理を実行し、排出口５９から下皿６０へメダルを払い出す。
【００３４】
さらに、前扉５０には、遊技を盛り上げるために音響装置（６１Ｌ、６１Ｒ、６２Ｌ、６２Ｒ）や、ランプ装置（６３、６５、６７Ｌ、６７Ｒ）などの複数の演出装置が設けられている。具体的には、前扉５０の上部および下部の左右端部には、それぞれ上部スピーカー６１Ｌ、６１Ｒおよび下部スピーカー６２Ｌ、６２Ｒが設けられており、遊技を補助したり、遊技を盛り上げたりするための各種の音声が出力される。
【００３５】
また、前扉５０の上部には、演出用役物としてアーチランプ６３および回転灯６５が設けられている。アーチランプ６３は、左右の上部スピーカー６１Ｌ、６１Ｒの間に配置されており、レンズユニットが前方に向かって湾曲して構成されている。また、回転灯６５は、上記アーチランプ６３の下方でかつ上パネル５７の前面に設けられており、光源の周りを回転部材が回転する回転灯装置によって構成されている。さらに、前扉５０の側端部には、左右のサイドランプ６７Ｌ、６７Ｒが設けられており、これら左右のサイドランプ６７Ｌ，６７Ｒは、扉下部分５３の側方から上部スピーカー６１Ｌ、６１Ｒの側方まで、前扉５０の上下方向略全長に亘って延設されている。これらアーチランプ６３、回転灯６５およびサイドランプ６７Ｌ、６７Ｒなどのランプ装置は、遊技に合わせて点灯して演出用の照明装置として機能させたり、遊技に係る情報を遊技者に報知する報知装置として機能させることができる。
【００３６】
＜下皿（貯留皿）の構造＞
本実施形態のスロットマシン１の下皿６０は、遊技媒体の取り出しを容易に行うことができ、上述の証紙類を配置する平面のスペースを容易に確保できるよう構成されている。以下、図３〜図１０を参照して上記スロットマシン１の下皿６０の構成につき詳細に説明する。
【００３７】
図３は、扉下部分５３の下部構造を構成する下皿６０、およびその上部の排出口５９を含む下皿意匠部１０１を斜視図として示している。また、図４は、図３の下皿意匠部１０１を取り外して下皿６０の部分を斜視図として示している。図５〜図７は、図４の下皿６０をそれぞれ異なる前後方向の断面で一部破断して示した斜視図で、図５〜図７の断面の位置は図９（下皿６０の上面図）中に一点鎖線で示してある。即ち、図５および図７の断面は図９のＡ−Ａ’線に沿った断面に相当するとともに、図７の断面は図５のＦ方向の断面矢視に相当し、図６の断面は図９のＢ−Ｂ’線に沿った断面に相当する。また、図８は、図９のＥ−Ｅ’線に沿った断面、特に前方から後方への断面矢視に相当する。また、図９、図１０はそれぞれ図４の下皿６０の上面図、および下面図に相当する。
【００３８】
図３に示すように、下皿意匠部１０１は、例えば逆Ｌ字型断面で、排出口５９を備え、図１に示すように組み上げられた状態において、扉下部分５３より後方に引込んだ位置に縦方向に配置された面５９ａを有する。この下皿意匠部１０１の排出口５９を備えた面５９ａの下方に下皿６０が配置される。下皿意匠部１０１の細部の構成は任意であるが、本実施形態では、下皿６０の天井部を構成する部位の中央、排出口５９の上部に、左右のボトムレンズ意匠１０２Ｌ、１０２Ｒを備えたボトムレンズ１０２Ｃが配置されている。
【００３９】
ボトムレンズ１０２Ｃないしボトムレンズ意匠１０２Ｌ、１０２Ｒは光透過性を有するアクリルなどの樹脂材料から構成される。ボトムレンズ１０２Ｃないしボトムレンズ意匠１０２Ｌ、１０２Ｒの後方には、ＬＥＤなどによる表示光源を配置することができ、この表示光源は、例えば排出口５９からメダルを払い出す動作などに同期した演出表示（例えば特定のパターンによる点滅表示など）に用いることができる。
【００４０】
また、下皿意匠部１０１の面５９ａの排出口５９の左右には、証紙類（証紙や銘板など）を配置するための証紙類配置部１０３Ｌ、１０３Ｒがそれぞれ配置される。証紙類配置部１０３Ｌ、１０３Ｒは、例えば証紙類を収容する凹部とそれを覆う透明カバーなどから構成することができる。あるいは、証紙類配置部１０３Ｌ、１０３Ｒは単に証紙類（証紙や銘板など）を貼付や接着するための平面部であってもよい。
【００４１】
証紙類配置部１０３Ｌ、１０３Ｒの左右外側には、上記の下部スピーカー６２Ｌ、６２Ｒが配置される。より詳細には、下皿意匠部１０１それ自体の下部スピーカー６２Ｌ、６２Ｒの配置部分は、図示のように多数の開口部から成るいわゆる（スピーカー）グリルの構造であって、下部スピーカー６２Ｌ、６２Ｒを構成する音響素子はこのグリルの後方にそれぞれ配置される。
【００４２】
下部スピーカー６２Ｌ、６２Ｒのさらに外側の左右には、例えば上記のサイドランプ６７Ｌ、６７Ｒと同期的に発光駆動される演出用のサイドランプ６７Ｌ’、６７Ｒ’などを配置することができる。ボトムレンズ１０２Ｃ、ボトムレンズ意匠１０２Ｌ、１０２Ｒ、サイドランプ６７Ｌ’、６７Ｒ’などの発光部位を除き、その他の下皿意匠部１０１の各部は不透明アクリルなどの樹脂材料から構成することができる。
【００４３】
図４は、下皿意匠部１０１を取り外した下皿６０の部分のみを示しており、図４では破線によって下皿意匠部１０１側の排出口５９の位置を示してある。同図に示すように、排出口５９から排出されたメダルを貯留する貯留皿としての下皿６０は、排出口５９に臨み排出口５９よりも下方に配置された底板１２１と、底板１２１の左右両側部の左右の側壁部１２２、１２３と、排出口５９に対向して遊技機本体の前側の前壁部１２４と、を備える。前壁部１２４および左右の側壁部１２２、１２３は、排出口５９を備えた面５９ａ（図３）とともに、上方が開放されたメダルの貯留空間を形成する。
【００４４】
図８の断面（図７のＣ−Ｃ’線に沿った断面）に示すように、本実施形態では、下皿６０の左右の側壁部１２２、１２３は、板状の部材とは異なり、それぞれ傾斜角度の異なる側壁内壁面１２２２、１２２３、および１２３２、１２３３を備えた中空構造を有する。この側壁部１２２、１２３の側壁内壁面１２２２、１２２３、および１２３２、１２３３の斜面形状の組合せによって、例えば、底板１２１上を左右方向に転動したメダルが下皿６０の左右端部から零れ出すのを防止し、また下皿６０上部の貯留空間を僅かながら拡大することができる。また、図８に示すように、側壁部１２２、１２３には、下皿６０の他の面に比して比較的大きな左右方向の寸法（厚さないし幅）を与えられており、メダルが下皿６０外に零れ出すにはこの幅を乗り超える必要があり、この点でもメダルが零れ出しにくい構造と言える。
【００４５】
また、下皿６０と下皿意匠部１０１を相互に位置決めするため、図４に示すように、下皿６０の左右の側壁部１２２、１２３の後部上端には、例えば図示の係合爪のような係合部１２２１、１２３１を、さらに、下皿６０の底板１２１の後縁部１２１４には、例えば図示の凹部形状のような係合部１２１４Ｌ、１２１４Ｒを配置することができる。下皿６０と、下皿意匠部１０１とを相互に位置決め固定するには、例えば、下皿６０側の各係合部１２２１、１２３１、１２１４Ｌ、１２１４Ｒと、下皿意匠部１０１側のこれら係合部に対応する係合部（不図示）を係合させ、ビスなどの他の締結部材（不図示）により両者を締結する手法を用いることができる。
【００４６】
さらに、本実施形態では、図５、図６、図７の断面に示されるように底板１２１の後縁部１２１４の下部にはＬ字型断面の補強部１２７が形成されている。補強部１２７の屈曲した先端部は、各係合部１２２１、１２３１、１２１４Ｌ、１２１４Ｒなどと同様に、下皿意匠部１０１（ないしは前扉５０側の適当な位置決め部：いずれも不図示）と係止（ないし係合して）させるために用いることができる。これにより、例えば下皿６０の規定のメダル搭載量に必要な下皿６０全体の強度（ないしはその際の姿勢）を維持することができる。なお、後述の３角形状のリブ１２６、１２６…は底板１２１の傾斜した外面と、Ｌ字型断面の補強部１２７の間に形成される。これらのリブ１２６、１２６…は、補強部１２７と協働して下皿６０全体の強度（ないしはその際の姿勢）を維持するのに役立つ。
【００４７】
図３のように下皿６０と、下皿意匠部１０１とを相互に装着した状態では、図４の下皿６０の後縁部１２１４は下皿意匠部１０１の下縁部に覆われた状態となる。この装着状態では、下皿意匠部１０１の排出口５９を備えた面５９ａ（図３、図４）の位置は、例えば図９に符号５９ａ’で示すように、底板１２１とその後縁部１２１４の境界線に一致する。
【００４８】
再び図４において、本実施形態の下皿６０の底板１２１は、中央部１２１１と、その両側の左底板１２１２、および右底板１２１３の凡そ３つの部分から構成されている。
【００４９】
また、前壁部１２４の中央部は、矩形平面状の証紙類配置部１２４１、とその左右の左前壁部１２４２、および右前壁部１２４３の凡そ３つの部分から構成されている。本実施形態では、証紙類配置部１２４１は、例えば証紙類（証紙や銘板など）を配置（貼付ないし取付）するための矩形平面によって構成されている。ただし、証紙類配置部１２４１は、単なる矩形平面のみならず、例えば証紙類を収容する凹部とそれを覆う透明カバーなどから構成してもよい。
【００５０】
また、本実施形態では、底板１２１から前壁部１２４の部位は、左右の位置に応じて曲率半径の異なる湾曲部を介して連続させてある。この湾曲部は、各図において湾曲部１２５２（左）、１２５１（中央）、１２５３（右）として図示してある。以下、下皿６０の底板１２１の各部、前壁部１２４の各部、さらに両者を連続させる上記の各湾曲部の構成につき詳細に説明する。
【００５１】
なお、これら底板１２１と、前壁部１２４と、それらを連続させる湾曲部１２５２（左）、１２５１（中央）、１２５３（右）の部分は、例えば上記の補強部１２７やリブ１２６、１２６…と共に、樹脂材料などから一体成形することができる（図８、図１０参照）。
【００５２】
また、本実施形態において、部材の傾斜角度や高さについて言及する時は、特に断わらない限り、水平面（重力の等ポテンシャル面）とする。この水平面の１つとして、図８では、例えば側壁部１２２、１２３の底部１２２９、１２３９の断面の底部側を通るＬ−Ｌ’線を含む水平面を示している。また、本実施形態では、底板１２１の中央部１２１１、左底板１２１２、右底板１２１３の各部の傾斜や高さについて言及する時は、特に断わらない限り、内面の傾斜や高さについて述べているものとする。ただし、本実施形態では、底板１２１の中央部１２１１、左底板１２１２、右底板１２１３の各部の厚みはほぼ同等に取られているため、これらの部材の内面の傾斜や高さについての説明はこれらの部材の外面や厚みの中心についてもほぼ同様に通用する。
【００５３】
ここで、本実施形態の下皿６０の底板１２１は、その前後方向に関しては、図５〜図８などに示されるように、中央部１２１１、左底板１２１２、右底板１２１３の各部から成る全体として手前下りの傾斜を有する。好ましくは、この底板１２１の全体の傾斜角度は、水平面から１０〜３０°程度の範囲に取る（図５〜図７）。
【００５４】
また、下皿６０の底板１２１は、その左右方向に関しては、中央部１２１１に対して、左底板１２１２、および右底板１２１３の側壁部１２２、１２３側に近い部位の方が、それぞれの水平面からの高さが高くなるよう構成されている。即ち、図８に示すように、底板１２１の中央部の上面１２１１ａに対して、左底板およびの右底板の上面１２１２ａ、１２１３ａは両肩上りの傾斜を持って連続させてある。本実施形態では、左底板１２１２、および右底板１２１３（図８ではこれらの上面１２１２ａ、１２１３ａを図示）の左右方向に関する傾斜角度は上記の底板１２１の全体の前後方向に関する傾斜角度よりも小さく取るものとし、具体的な傾斜角度は、例えば１〜数°、大きくとも１０°程度の傾斜角度とする。
【００５５】
以上のような底板１２１の各部の形状について、底板１２１の内面上の点を用いて説明すると次のようになる。
【００５６】
例えば、ここで、図９に示すように、底板１２１の内面上の中央の第１の点Ｐ１と、第１の点Ｐ１よりも図中左（または右）に位置する第２の点Ｐ２、Ｐ２’（またはＰ５、Ｐ５’）を考える。これら、第１の点Ｐ１と第２の点Ｐ２、Ｐ２’（またはＰ５、Ｐ５’）は、図９の排出口を備えた面（図３の５９ａ）の位置５９ａ’からそれぞれ等距離の同一の直線Ｅ−Ｅ’上にあるものとする。
【００５７】
なお、第１の点Ｐ１は図９の中央のＡ−Ａ’線上に、また、第２の点Ｐ２、Ｐ２’は、図６の断面に相当する図９のＢ−Ｂ’線上の位置と、Ｄ−Ｄ’線上の位置に取られ、さらに、第２の点Ｐ５、Ｐ５’については、左底板１２１２、右底板１２１３と側壁部１２２、１２３のそれぞれの境界位置に取られているものとする。
【００５８】
また、図９の排出口を備えた面（図３、図４、図８の５９ａ）の位置５９ａ’に相当する、底板１２１の中央部１２１１、左底板１２１２、右底板１２１３と、後縁部１２１４の境界に臨む第３の点Ｐ３、および第４の点Ｐ４、Ｐ４’を考える。第３の点Ｐ３は、底板１２１内面の中央で、第１の点Ｐ１よりも前記排出口に近い位置にあり、第１の点Ｐ１と同様、図９の中央のＡ−Ａ’線上に存在するものとする。なお、図８は図９のＥ−Ｅ’線に沿った断面であって、上記の各点Ｐ１、Ｐ３、Ｐ２、Ｐ２’、Ｐ４、Ｐ４’は、底板１２１の中央部１２１１、左底板１２１２、右底板１２１３の各々の内面１２１１ａ、１２１２ａ、１２１３ａ上の点として図示してある。
【００５９】
ここで、上述の底板１２１の前後方向に係わる手前下りの傾斜を上記の各点を適宜用いて説明すると、例えば図７の断面に示すように、前後方向の高さに関しては第３の点Ｐ３の方が第１の点Ｐ１よりも高い位置にある。なお、この前後方向の高さの関係は、第４の点Ｐ４（Ｐ４’）および第２の点Ｐ５（Ｐ５’）の関係についても同様である。
【００６０】
また、底板１２１の左右方向に係わる左底板１２１２、右底板１２１３の両肩上りの傾斜に関しては、Ｅ−Ｅ’線上にある各点につき考えれば、第１の点Ｐ１よりも第２の点Ｐ２またはＰ２’の方が高い位置にある（点Ｐ５、Ｐ５’も同様）。例えば、図７は、下皿６０の中央の断面矢視（図５における断面のＦ方向の矢視）に相当するが、図７では左底板の内面（上面）１２１２ａ上の点Ｐ５は中央部の上面１２１１ａ上の点Ｐ１よりも高い位置にある。なお、第２の点Ｐ２（またはＰ２’）とＰ５（またはＰ５’）については、第２の点Ｐ２（またはＰ２’）よりもＰ５（またはＰ５’）の方が高い位置にあるものとする（図９）。
【００６１】
以上のような、各点の高さおよびそれにより定義される底板１２１の内面の手前下り、および左右両肩上りの傾斜構造は、例えば底板１２１の左底板１２１２、右底板１２１３、あるいはさらに中央部１２１１の内面を曲面で構成することによって実現できる。図９のＥ−Ｅ’線上の各点Ｐ１、Ｐ３、Ｐ４（Ｐ４’）、Ｐ５（Ｐ５’）の関係は、好ましくは、Ｅ−Ｅ’線を下皿６０の前後（図９の上下）方向に平行移動させた場合でも同様とするが、底板１２１の左底板１２１２、右底板１２１３の曲面の形状によっては、点Ｐ１と、Ｐ４（Ｐ４’）、Ｐ５（Ｐ５’）と、の高低差の大きさはＥ−Ｅ’線の前後方向の位置によって変化しても構わない。
【００６２】
なお、図９の底板１２１とその後縁部１２１４の境界線５９ａ’の近傍においては、底板１２１の内面の高さはほぼ同一でもよく、例えばその場合、ほぼ一直線上にある点Ｐ３、Ｐ４、Ｐ４’の高さはほぼ同一であっても構わない。例えば、好ましくは、上述の底板１２１の左底板１２１２、右底板１２１３の内面の左右方向において両肩上りの構成は、底板１２１とその後縁部１２１４の境界線５９ａ’の近傍においては小さな高低差で、そこから前壁部１２４に近づくにつれてそれよりも高低差が大きくなるような構成であってよい。このような底板１２１の左右端部と中央の両肩上りの高低差ないしは傾斜は、底板１２１の左底板１２１２、右底板１２１３を曲面構成とすることなどによって容易に実現できる。
【００６３】
次に、主に図５、図６および図７を参照して底板１２１と前壁部１２４を連続させる湾曲部１２５１、１２５２（１２５３）の構成につき説明する。ここで、図５と図７の断面は、図９のＡ−Ａ’線に沿った断面に相当し、図６の断面は図９のＢ−Ｂ’線に沿った断面に相当する。なお、本実施形態では、図９のＤ−Ｄ’線における断面については図示を省略しているが、この断面構成は図６の断面構造を左右反転した構成に相当するものとする。
【００６４】
図４で説明したように、前壁部１２４は、中央の証紙類配置部１２４１、その左右の左前壁部１２４２、および右前壁部１２４３の凡そ３つの部分から構成されている。本実施形態では、これらの中央の証紙類配置部１２４１、左右の左前壁部１２４２、および右前壁部１２４３は、それぞれ湾曲部１２５１、１２５２、１２５３を介して底板１２１の中央部１２１１、左底板１２１２、右底板１２１３と連続させてある。
【００６５】
そして、本実施形態では、これら中央の湾曲部１２５１と、左右の湾曲部１２５２、１２５３では、下皿６０の中央の湾曲部１２５１の曲率半径ｒ１（図５）よりも左右の湾曲部１２５２、１２５３の曲率半径ｒ２（図６、図７）の方が大きい曲面形状であって、しかも特に左右の外側に行くほど湾曲部１２５２、１２５３の曲率半径ｒ２が連続的に増大するような曲面形状で構成されている。なお、本実施形態では、これら曲率半径ｒ１、ｒ２に関しても、湾曲部の曲率は例えば底板１２１の内面のものを図示している。
【００６６】
このような左右の湾曲部１２５２、１２５３の曲面形状は、図示のような例えば円錐面で構成することができる。ただし、湾曲部１２５２、１２５３の左右方向の曲率半径ｒ２の変化率は、必ずしも円錐面のそれに対応するような直線的なものである必要はなく、当業者において適宜、湾曲部１２５２、１２５３の左右方向に係る曲率半径ｒ２の変化パターンを選択することにより、上記の円錐面とは異なる形状を採用する場合でも、左右の外側ほど曲率半径ｒ２が大きくなる湾曲形状を構成することができる。
【００６７】
また、湾曲部１２５２（湾曲部１２５３も同様）は、上記のように円錐面で構成する。そして、これらの円錐面から成る湾曲部１２５２（湾曲部１２５３）を、図４や、図７の下皿６０の断面に示されるように、手前下りの底板１２１の前端の角部の高さが、湾曲部１２５２（湾曲部１２５３も同様）の左右端部において、それぞれ中央の湾曲部１２５１よりも高くなるように配置する。これにより、図７に示されるように湾曲部１２５２の左端部（湾曲部１２５３の場合は右端）の円弧状の部分の高さは、同図中の点Ｐ５よりもさらに高い位置になる。即ち、上記のように湾曲部１２５２（湾曲部１２５３）を円錐面で構成することによって、下皿６０の前壁部１２４に近い最も手前側の底面で、左右の両肩上りの底面（内面）の高低差が最も大きくなるような下皿６０の内面形状が実現する。
【００６８】
なお、底板１２１の中央部１２１１、左底板１２１２、および右底板１２１３と、前壁部１２４の証紙類配置部１２４１、左右の左前壁部１２４２、および右前壁部１２４３は、それぞれただ１つの湾曲部１２５１、１２５２、１２５３によって連続させる構成である必要はない。例えば、図９、図１０に示すように底板１２１の中央部１２１１、左底板１２１２および右底板１２１３のそれぞれの下面１２１１ｂ、１２１２ｂ、１２１３ｂと、証紙類配置部１２４１、左前壁部１２４２、および右前壁部１２４３との間には、湾曲部１２５１、１２５２、１２５３と同じ方向にそれぞれ伸びる湾曲部１２５１’、１２５２’、１２５３’を配置することができる。このような構造によって、底板１２１の部分と前壁部１２４の部分とを、より自然な曲面形状によって連続させることができる。
【００６９】
また、図１０の例では、湾曲部１２５１’、１２５２’、１２５３’は、湾曲部１２５１、１２５２、１２５３よりも小さな曲率半径を持つものとし、例えば湾曲部１２５２’、１２５３’では、左右方向の曲率半径の大小関係は湾曲部１２５２、１２５３とは逆になる形状としてある。この種の複数の湾曲部の曲率半径の寸法設定によって、例えば底板１２１の部分と前壁部１２４の部分とを、より自然な曲面形状によって連続させることができる可能性がある。
【００７０】
さて、上述の通り、下皿６０の底板１２１の内面は、その前後方向に関して、全体に渡り比較的大きな（１０〜３０°）傾斜を有する構成である。そして、底板１２１の中央部１２１１、左底板１２１２、右底板１２１３を全体に渡ってほぼ同程度の厚みで構成する場合には、底板１２１の底面に図５〜図７に示すように、３角形状の空間が生じる。本実施形態では、この空間を利用して、図５〜図７に示すように底板１２１の傾斜した外面と、Ｌ字型断面の補強部１２７の間に３角形状のリブ１２６を形成することができる。
【００７１】
リブ１２６は、図９、図１０に示すように、底板１２１の中央部１２１１、左底板１２１２、右底板１２１３の外面（底面）１２１１ｂ、１２１２ｂ、１２１３ｂに複数（１２６、１２６…）配置することができる。本実施形態では、３角形状のリブ１２６、１２６は近接した２個１組で、中央部１２１１に１組、左底板１２１２および右底板１２１３に２組ずつ配置してある。
【００７２】
また、図９および図１０に示すように、下皿６０の中央部１２１１に位置する前壁部１２４の証紙類配置部１２４１が、左前壁部１２４２、右前壁部１２４３よりも手前側（図９の下方、図１０の上方：遊技者に近い側）に、これら各壁部の肉厚を変化させることなく、せり出した形状とするよう、各湾曲部１２５１〜１２５３や底板１２１の形状を決定してもよい。例えばこれによりメダルの集り易い下皿６０の中央部のメダル搭載量を増大させることができる。なお、証紙類配置部１２４１を左前壁部１２４２、右前壁部１２４３よりもせり出させる距離は図９および図１０に示したものに限定されず、当業者が任意に決定できる設計事項である。
【００７３】
次に上記構成における作用や効果について説明する。
【００７４】
上述の通り、排出口５９から排出されたメダルを貯留する貯留皿としての下皿６０は、排出口５９に臨み、それよりも下方に配置された底板１２１と、底板１２１の左右両側部の左右の側壁部１２２、１２３と、排出口５９に対向して遊技機本体の前側の前壁部１２４と、を備え、前壁部１２４および左右の側壁部１２２、１２３により画成されかつ上方が開放されたメダルの貯留空間を形成する。
【００７５】
そして、下皿６０の底板１２１の内面は、全体に手前下りの傾斜であって、かつ、中央部よりも左右の側壁部１２２、１２３の側の方が僅かに高く形成され、その中央と左右の高低差は遊技者側に相当する手前側程大きく取られている。例えば、上述のように、底板中央の第１の点Ｐ１と、第１の点Ｐ１よりも左または右に位置する第２の点Ｐ２と、を含み、第１および第２の点Ｐ１、Ｐ２は排出口５９を備えた面５９ａからそれぞれ等距離にあり、かつ、第２の点Ｐ２の高さが、第１の点Ｐ１よりも高い構成である。また、両肩上りの中央と左右の高低差は、特に湾曲部１２５２、１２５３の左右端部で最も両肩上りの高低差が大きくなっている。
【００７６】
下皿６０の内面（底面）に排出されたメダルの転動経路は一概に予想できないが、下皿６０の内面（底面）は上述のように全体として左右の両肩上りの高低差を有し、また、湾曲部１２５２、１２５３も同様の高低差、特に最も大きな高低差を有する。このため、メダルが下皿６０の内面（底面）上でどのような経路を通るにしても、メダルに左右両側から中央に向かって移動する習性（移動習性）が生じる。そして、この移動習性は下皿６０の内面（底面）の前壁部１２４の側で大きく、特に湾曲部１２５２、１２５３や前壁部１２４の内面に当たったようなメダルにおいて大きい。なお、メダルは中央部の排出口５９から排出される他、例えば、遊技者が他の容器から手掴みで下皿６０内に補給する場合もあるが、この場合、メダルの補給は下皿６０の左右端部から行なわれることも多いと考えられる。そして、このように下皿６０の左右端部から補給されたメダルについても、その移動習性は上記構成によって左右端部から中央部に向かう方向に生じる。
【００７７】
従って、上記のような全体が手前下り、左右方向においては左右の両肩上りの下皿６０の内面（底面）の構造によって、排出口５９（図１、図３、図４）から排出されたメダルは、下皿６０の底面を移動して集まる場所は、下皿６０の中央部、特に前壁部１２４の証紙類配置部１２４１の背面近傍付近となる。そして、この下皿６０の中央部は、図９、図１０のように最も手前側へせり出しており、貯留できるメダルの枚数が多い。また、下皿６０からの遊技者のメダル取り出し操作の１つは手指で下皿６０の中央部からメダルを掻き出すような操作である。このため、遊技者は、上記構造によって下皿６０の中央部に多くの枚数のメダルが集められることになるので、この部分から例えば１掴みで取り出せるメダルの枚数が多くなり、効率よくメダルを取り出すことができる。
【００７８】
次に、本実施形態によれば、下皿６０の底板１２１と、前壁部１２４とは、湾曲部１２５１（中央）、１２５２（左）、１２５３（右）によって連続する構成であり、しかも中央の湾曲部１２５１よりも左右の湾曲部１２５２、１２５３の方が大きな曲率半径を有し、しかも、これら湾曲部１２５２、１２５３の左右外側ほど曲率半径が大きい構成となっている。
【００７９】
一般に、下皿６０の底板１２１と前壁部１２４とを湾曲面によって連続させる構成は、底板１２１と前壁部１２４の連続する部分を利用したメダルの掻き出し操作を湾曲面を利用してスムーズに行えるようにするため、と考えられる。そして、本実施形態によれば、特に湾曲部１２５２、１２５３の左右外側ほど、充分に大きな曲率半径が与えられているため、遊技機に正対して着座する遊技者が右手ないし左手で下皿６０からのメダル掻き出し操作を行う時に自然に手指を挿し入れる下皿６０の左右端部でのメダル掻き出し操作をスムーズかつ容易に行える利点がある。特に下皿６０の中央から左右両端にかけて大量にメダルが貯留されているような状態においては、下皿６０の左右端部において挿し入れた手指によって、曲率半径の大きい湾曲部１２５２、１２５３の部位を利用して容易にメダル掻き出し操作を行うことができる。また、下皿６０の中央付近にのみメダルが貯留されているような場合でも、遊技者は容易に中央から左または右にメダルを移動させてから、曲率半径の大きい湾曲部１２５２、１２５３の部位を利用してメダル掻き出し操作をスムーズに行うことができる。
【００８０】
以上のように、本実施形態によれば、例えば特許文献１の回動式のメダル受皿などのような可動機構を必要とせず、簡単安価な構造で、遊技媒体としてのメダルの取り扱いを極めて容易に行える、優れた下皿（貯留皿）を提供することができる。
【００８１】
また、従来構成におけるように、例えば下皿６０の底板と前壁部を全て同じ大きな曲率半径の湾曲部で連続させる構成によると、前壁部の前面に証紙類（証紙、銘板など）を配置するための充分な面積を有する平面のスペースを確保するのが難しい場合がある。
【００８２】
これに対して、本実施形態によれば、前壁部１２４の証紙類配置部１２４１と、底板１２１の中央部１２１１を連続させる湾曲部１２５１は両側の湾曲部１２５２、１２５３に比して最も曲率半径が小さい構成となっている。このため、前壁部１２４の中央部位に、矩形でかつ面積が広く、平坦な証紙類配置部１２４１のためのスペースを容易に確保することができる。これにより、証紙類配置部１２４１を利用して、従来よりも大きな面積を有する、あるいはより多数の証紙類を証紙類配置部１２４１に配置することができる。
【００８３】
さらに、本実施形態によれば、下皿６０の底板１２１の手前下り構造によって底板１２１の外面（底面）１２１１ｂ、１２１２ｂ、１２１３ｂの側に生じる３角形断面の空間を利用して、複数のリブ１２６、１２６…を配置して底板１２１を補強する構造を採用している。これらのリブ１２６、１２６…は、遊技者から容易には視認できないような底板１２１の外面（底面）１２１１ｂ、１２１２ｂ、１２１３ｂと補強部１２７の間に画成される３角形断面の空間を利用して遊技機の意匠を損なうことなく体裁よく配置することができ、下皿６０、特にその底板１２１に下皿６０の規定枚数の貯留量に耐えるに充分な強度を与えることができる。一般に、このような複数のリブ１２６、１２６…による補強構造は、底板１２１の厚みを増大させるような構成よりも小型軽量かつ簡単安価に同程度の強度を保証できる利点がある。
【００８４】
以上のようにして、本実施形態によれば、構成が簡単安価で、遊技媒体としてのメダルの取り出しを容易に行うことができ、証紙類を配置するための面積が大きく、例えば矩形などの好適な形状でかつ平面のスペースを容易に確保できるメダル貯留皿としての下皿を備えた遊技機を提供することができる、という優れた効果がある。
【００８５】
なお、上述の実施形態で示したスロットマシン１は、前扉５０を分離不能な一体構造としたが、上扉ユニットと下扉ユニットとに上下に分離して構成し、これら上扉ユニットおよび下扉ユニットを別個に開閉可能に構成してもよい。また、スロットマシンの筐体１０は必ずしも木製に限らず、例えば、樹脂材料などから構成されていてもよい。さらに、本実施形態では、遊技機の制御基板を主制御基板ユニット４１と演出装置を制御する副制御基板ユニットとに分離し、例えば主制御基板ユニット４１から副制御基板ユニットへの単方向通信のみが可能な構成を考えたが、これら主制御基板ユニットおよび副制御基板ユニットは一体に構成されても良い。
【符号の説明】
【００８６】
１…スロットマシン、Ｒ１〜Ｒ３…リール、５０…前扉、５１…表示窓、５２…中央パネル、５５…下パネル、５６…メダル投入口、５９…メダル払出口（排出口）、６０…下皿（貯留皿）、１２１…底板、１２２、１２３…側壁部、１２４…前壁部、１２４１…証紙類配置部、１２５１、１２５２、１２５３…湾曲部
【図１】
2018175164.tif 000003
【図２】
2018175164.tif 000004
【図３】
2018175164.tif 000005
【図４】
2018175164.tif 000006
【図５】
2018175164.tif 000007
【図６】
2018175164.tif 000008
【図７】
2018175164.tif 000009
【図８】
2018175164.tif 000010
【図９】
2018175164.tif 000011
【図１０】
2018175164.tif 000012